(57)【要約】【課題】従来の扁平型モータは、ステータコアのバックヨーク部が磁気的に連結されていないため、駆動時に隣り合うティースで磁路を形成しない場合が出てくるため、円筒型モータに比べ磁路が長くなるという問題点があった。【解決手段】ロータ１１は、シャフト１２と複数極に着磁した永久磁石１４を備えており、軸受（図示せず）により回転自在に支持される。ステータ１５は、ステータブロック１５ａとステータブロック１５ｂの２ブロックで構成され、ロータ１１の外周部とは所定のギャップを有して対向させている。ステータブロック１５ａ、１５ｂは積層された方向性電磁鋼板からなっており、その磁化容易軸方向１９は磁束の流入方向と同一とした構造とする。【選択図】図１
2007110861.tif 000002
【特許請求の範囲】
【請求項１】
軸心方向に回転自在に支持され周方向に複数極に着磁されたロータと、ティース巻線部にコイルが巻回されたティース先端を前記ロータの外周に対向して配置した積層鋼板からなりバックヨーク部が前記積層鋼板で連結されていない少なくとも２ブロックから構成されるステータとを有し、ステータの回転磁界に伴ってロータが回転し、前記ステータの各ティース先端の形状を、ロータの外周に沿う円弧面に形成し、各ティース巻線部を互いに平行又は等角度に形成し、各ティース間先端部にスロット開口部を有した扁平モータにおいて、前記ステータ積層鋼板部に方向性電磁鋼板を用い、前記方向性電磁鋼板の容易軸方向を前記ロータからの磁束流入方向と同一としたことを特徴とする扁平モータ
【請求項２】
前記ステータ部は、ティースごとの分割コアを接合させてなることを特徴とする請求項１記載の扁平モータ。
【請求項３】
前記ステータ部は、ティースとバックヨーク部が分割されており、前記バックヨーク部の方向性電磁鋼板の容易軸方向は前記ティース部と略垂直方向としたことを特徴とする請求項２記載の扁平モータ。
【発明の詳細な説明】
【技術分野】
【０００１】
本発明は、光もしくは光−磁気の技術を用いて、記録、再生、もしくは記録／再生装置、例えば、ＣＤ（コンパクト・ディスク）やＤＶＤ（ディジタル・ビデオ・ディスク）のような装置のピックアップレンズを駆動するために用いられるフィードモータや、産業用部品実装機の部品装着ヘッド駆動用に用いられるサーボモータのステータコア構造に関する。
【背景技術】
【０００２】
従来扁平型のモータは、図４、５に示す様に周方向に複数極に着磁されているロータ１と、ほぼ扁平型の第１、第２のステータブロック５ａ、５ｂとハウジング６と、ブラケット７とから構成されており、前記ステータブロック５ａ、５ｂはそれぞれ３本のティース８ａ、８ｂ、８ｃを有しており、コイル３には巻装されている物が知られている。（例えば、特許文献１参照。）
【特許文献１】特開２００２−１３６０９０号公報
【発明の開示】
【発明が解決しようとする課題】
【０００３】
図４、５に示した従来の扁平型モータは、ステータコアのバックヨーク部が磁気的に連結されていないため、駆動時に隣り合うティースで磁路を形成しない場合が出てくるため、円筒型モータに比べ磁路が長くなるという問題点があった。
【課題を解決するための手段】
【０００４】
上記課題を解決するために本発明は、軸心方向に回転自在に支持され周方向に複数極に着磁されたロータと、ティース巻線部にコイルが巻回されたティース先端を前記ロータの外周に対向して配置した積層鋼板からなりバックヨーク部が前記積層鋼板で連結されていない少なくとも２ブロックから構成されるステータとを有し、ステータの回転磁界に伴ってロータが回転し、前記ステータの各ティース先端の形状を、ロータの外周に沿う円弧面に形成し、各ティース巻線部を互いに平行又は等角度に形成し、各ティース間先端部にスロット開口部を有した扁平モータにおいて、前記ステータ積層鋼板部に方向性電磁鋼板を用い、前記方向性電磁鋼板の容易軸方向を前記ロータからの磁束流入方向と同一としたことを特徴とする。
【０００５】
この特徴により、磁路の透磁率を良化することが出来、集磁効果を高めることができるため、モータの効率向上を図ることが可能である。
【発明の効果】
【０００６】
本発明のモータのステータコア構造によれば、ステータ積層鋼板部に方向性電磁鋼板を用い、前記方向性電磁鋼板の容易軸方向を前記ロータからの磁束流入方向と同一とすることで、磁気回路の集磁効果を高め高効率なモータを得ることができる。
【０００７】
また、前記ステータ部は、ティースごとに分割されたコアを接合させてなることで、巻線作業を容易にし、コイルの占有面積を高めることができるため、更に高効率なモータを得ることができる。
【０００８】
さらに、前記ステータ部は、ティースとバックヨーク部が分割されたコアを接合させ、前記バックヨーク部の方向性電磁鋼板の容易軸方向は前記ティース部と略垂直方向とすることで、更に高効率なモータを得ることができる。
【発明を実施するための最良の形態】
【０００９】
バックヨーク部が一部連結されていない扁平型モータで、ステータ部に磁束の流入方向に容易軸方向を配置した方向性電磁鋼板を用いることを特徴とする。
【実施例１】
【００１０】
本発明に係わるモータの断面図を図１に示す。実施例１はインナーロータ型の偏平ブラシレスモータで、図１において、１１はロータ、１５はステータ、１８はティース、１３はコイルである。ロータ１１は、シャフト１２と複数極に着磁した永久磁石１４を備えており、軸受（図示せず）により回転自在に支持される。ステータ１５は、ステータブロック１５ａとステータブロック１５ｂの２ブロックで構成され、ロータ１１の外周部とは所定のギャップを有して対向させている。ステータブロック１５ａ、１５ｂは積層された方向性電磁鋼板からなっており、その磁化容易軸方向１９は磁束の流入方向と同一としている。そして、ティース１８には予めコイル１３が整列巻回されている。さらに、コイル１３は結線されて、ステータ１５の回転磁界に伴ってロータ１１を回転させる。また、ステータの組立に際して、ステータブロックをハウジング（図示せず）内に装着固定してもよい。また、図から判断できるように、ステータ外形はロータ径に比べて偏平なブラシレスモータであり、機器の隙間部分などに搭載可能となり省スペース化に効果がある。
【００１１】
本実施例により、磁気回路の透磁率を良化させ、集磁効果を高める事が可能なため、モータの高効率化が達成される。
【実施例２】
【００１２】
図２は本発明における第２の実施例である。本実施例ではステータブロック１５ａ、１５ｂを分割コアとし、ティース１８ａ、１８ｂ、１８ｃに分けて形成される。
【００１３】
本実施例により、コイル１３の巻線作業を容易にすることができ、また、コイル１３の占有面積を向上させることができるため、生産性の向上、及びモータの高効率化が達成される。
【実施例３】
【００１４】
図３は本発明における第３の実施例である。本実施例ではステータブロック１５ａ、１５ｂを分割コアとし、ティース１８ａ、１８ｂ、１８ｃ及びバックヨーク１０に分けて形成される。
【００１５】
本実施例により、バックヨーク１０はティース１８ａ、１８ｂ、１８ｃの磁化容易軸方向１９と略垂直に磁化容易軸方向１９を配置するため、磁気回路で磁束の通る方向と磁化容易軸方向１９をほぼ一致させることができるため、更にモータの高効率化が達成される。
【産業上の利用可能性】
【００１６】
本発明のモータのステータコア構造は、モータの高効率化に最適であり、省電力化を要する用途、例えば情報機器等に使用されるディスク装置のフィードモータ、工場等で使用される産業用サーボモータなどに有用である。
【図面の簡単な説明】
【００１７】
【図１】本発明の第１実施例のモータの断面図
【図２】本発明の第２実施例のモータの断面図
【図３】本発明の第３実施例のモータの断面図
【図４】従来のモータの構成分解図
【図５】従来のモータの断面図
【符号の説明】
【００１８】
１、１１  ロータ
２、１２  シャフト
３、１３  コイル
４、１４  マグネット
５ａ、５ｂ、８ａ、８ｂ、８ｃ、１５ａ、１５ｂ、１８ａ、１８ｂ、１８ｃ  ティース
６  ハウジング
７  ブラケット
１９  磁化容易軸方向
１０  バックヨーク
【図１】
2007110861.tif 000003
【図２】
2007110861.tif 000004
【図３】
2007110861.tif 000005
【図４】
2007110861.tif 000006
【図５】
2007110861.tif 000007